(57)【要約】【課題】本発明は、第２の格納庫に増設可能なI/O装置の台数を増やすことができる電子機器を得ることにある。【解決手段】電子機器は、機器本体(2)と、機器本体の内部に設置された第１および第２の格納庫(4,5)とを備えている。第１の格納庫にケージ(10)を介して複数台のハードディスク駆動装置(6)および一台のフロッピーディスク駆動装置(7)が実装されている。第２の格納庫は、複数の実装スペース(36a,36b)を有し、この実装スペースは、フロッピーディスク駆動装置と同一のサイズを有する他のI/O装置(35)を増設可能である。【選択図】    図１
2004213062.tif 000002
【特許請求の範囲】
【請求項１】
機器本体と、
上記機器本体の内部に設置された第１の格納庫と、
上記第１の格納庫にケージを介して実装された複数台のハードディスク駆動装置および一台のI/O装置と、
上記機器本体の内部に設置され、上記I/O装置と同じ大きさの他のI/O装置を実装可能な複数の実装スペースを有する第２の格納庫と、を具備したことを特徴とする電子機器。
【請求項２】
請求項１の記載において、上記第１の格納庫に実装されたI/O装置は、フロッピーディスク駆動装置であることを特徴とする電子機器。
【請求項３】
請求項２の記載において、上記ハードディスク駆動装置および上記フロッピーディスク駆動装置は、一列に並べた状態で上記ケージに支持され、上記フロッピーディスク駆動装置は、上記ケージの一端部に位置することを特徴とする電子機器。
【請求項４】
請求項１又は請求項３の記載において、上記ハードディスク駆動装置は、金属製のトレイを介して上記ケージに支持されているとともに、上記一台のI/O装置は、金属製のブラケットを介して上記ケージに支持され、上記ブラケットと上記トレイとは、導通片を介して互いに接触し合うことを特徴とする電子機器。
【請求項５】
機器本体と、
上記機器本体の内部に設置され、上記機器本体の前面に開口する５インチベイと、
上記５インチベイにケージを介して実装された複数台のハードディスク駆動装置および一台のフロッピーディスク駆動装置と、
上記機器本体の内部に設けられ、上記機器本体の前面に開口するとともに、上記フロッピーディスク駆動装置と同じ大きさの他のI/O装置を実装可能な複数の実装スペースを有する３．５インチベイと、
上記機器本体の前面を開閉するフロント扉と、を具備したことを特徴とする電子機器。
【発明の詳細な説明】
【０００１】
【発明の属する技術分野】
本発明は、複数台のハードディスク駆動装置および一台のフロッピーディスク駆動装置を搭載するとともに、上記フロッピーディスク駆動装置と同じ大きさの他のI/O装置を増設可能とした電子機器に関する。
【０００２】
【従来の技術】
大容量のデータを管理するサーバは、複数台のハードディスク駆動装置を実装する５インチサイズの第１の格納庫と、フロッピーディスク駆動装置を実装する３．５インチサイズの第２の格納庫とを備えている。
【０００３】
ハードディスク駆動装置は、ケージを用いて第１の格納庫に実装されている。ケージは、左右の側板、天板および底板とで囲まれる実装スペースを有し、この実装スペースに複数台のハードディスク駆動装置が一列に並べた状態で収容されている。そのため、第１の格納庫は、複数台のハードディスク駆動装置によって占有されており、この第１の格納庫に例えば光磁気ディスク装置あるいはカセット磁気テープ装置のようなその他のI/O装置を増設するスペースは残されていない。
【０００４】
このことから、従来では、増設すべきI/O装置がフロッピーディスク駆動装置と略同一のサイズを有する場合に、このI/O装置は第２の格納庫に実装することが行なわれている。（例えば、特許文献１参照）
【０００５】
【特許文献１】
特開２００１−１５５４７５号公報  （第５頁、図１−図２）
【０００６】
【発明が解決しようとする課題】
従来のサーバによると、３．５インチサイズの第２の格納庫は、複数の実装スペースを有し、I/O装置の増設に対応し得るようになっている。
【０００７】
ところが、フロッピーディスク駆動装置は、最初から第２の格納庫に収容されているので、第２の格納庫の複数の実装スペースのうちの一つがフロッピーディスク駆動装置によって占有された状態にある。このため、第２の格納庫の空の実装スペースが減少し、その分、増設可能なI/O装置の台数が少なくなるといった不具合がある。
【０００８】
本発明の目的は、第２の格納庫の実装スペースを空にして、この第２の格納庫に増設可能なI/O装置の台数を増やすことができる電子機器を得ることにある。
【０００９】
【課題を解決するための手段】
上記目的を達成するため、本発明の一つの形態に係る電子機器は、
機器本体と、
上記機器本体の内部に設置された第１の格納庫と、
上記第１の格納庫に上記ケージを介して実装された複数台のハードディスク駆動装置および一台のI/O装置と、
上記機器本体の内部に設置され、上記I/O装置と同じ大きさの他のI/O装置を実装可能な複数の実装スペースを有する第２の格納庫と、を備えていることを特徴としている。
【００１０】
この構成によれば、I/O装置は、ハードディスク駆動装置と共に第１の格納庫に実装されるので、第２の格納庫の実装スペースが最初から空となる。このため、第２の格納庫に複数の他のI/O装置を実装することができ、I/O装置の増設台数を増やすことができる。
【００１１】
【発明の実施の形態】
以下本発明の実施の形態を、サーバに適用した図面にもとづいて説明する。
【００１２】
図１は、電子機器としてのサーバ１を開示している。サーバ１は、箱状の機器本体２と、この機器本体２の前面２ａを開閉するフロント扉３とを備えている。本体２の内部には、５インチベイとしての第１の格納庫４と、３．５インチベイとしての第２の格納庫５が設置されている。これら第１および第２の格納庫４，５は、機器本体２の前面２ａに開口するとともに、この機器本体２の高さ方向に積層されている。
【００１３】
第１の格納庫４は、四台のハードディスク駆動装置６、一台のI/O装置としてのフロッピーディスク駆動装置７および一台のCD−ROM駆動装置８を実装するためのものである。図２ないし図５に示すように、ハードディスク駆動装置６およびフロッピーディスク駆動装置７は、板金製のケージ（シャーシとも称する）１０を介して第１の格納庫４に実装されている。
【００１４】
ケージ１０は、左右の側板１１ａ，１１ｂと、側板１１ａ，１１ｂの上端間に跨る天板１２と、側板１１ａ，１１ｂの下端間に跨る底板１３とを有する四角い筒状をなしている。ケージ１０は、第１の格納庫４の内部に組み込まれており、このケージ１０の前端に開口する四角い挿入口１４が機器本体２の前面２ａに露出している。
【００１５】
側板１１ａ，１１ｂ、天板１２および底板１３は、互いに協働して機器格納室１５を構成している。機器格納室１５は、四台のハードディスク駆動装置６と一台のフロッピーディスク駆動装置７を幅方向に一列に並べて収容し得るような大きさを有し、ケージ１０の前端の挿入口１４に連なっている。
【００１６】
ケージ１０の後端にプリント回路板１６が取り付けられている。プリント回路板１６は、機器収納室１５を間に挟んで挿入口１４と向かい合っている。プリント回路板１６は、機器格納室１５に臨む前面を有し、この前面に四つのコネクタ１７が実装されている。コネクタ１７は、垂直方向に沿う縦置きの姿勢で配置されているとともに、機器格納室１５の幅方向に間隔を存して一列に並んでいる。
【００１７】
図５に示すように、ハードディスク駆動装置６は、夫々板金製のトレイ１９を介してケージ１０に支持されている。トレイ１９は、ハードディスク駆動装置６に対応する大きさを有している。ハードディスク駆動装置６は、トレイ１９にねじ止めされている。
【００１８】
トレイ１９は、その両側縁部にフランジ状の挿入ガイド２１ａ，２１ｂを有している。挿入ガイド２１ａ，２１ｂは、トレイ１９の両側縁部を直角に折り曲げることで構成されている。これら挿入ガイド２１ａ，２１ｂは、夫々ケージ１０の天板１２および底板１３に形成したガイドレール２２の間に摺動可能に嵌まり込むようになっている。ガイドレール２２は、ケージ１０の挿入口１４からプリント回路板１６に向けて一直線状に延びている。
【００１９】
このため、トレイ１９は、垂直に起立した姿勢でケージ１０の挿入口１４から機器格納室１５に挿入されるようになっている。これに伴いハードディスク駆動装置６は、縦置きの姿勢で機器格納室１５に挿入され、その挿入先端部が上記コネクタ１７に電気的に接続されている。そして、四台のハードディスク駆動装置６を機器格納室１５に挿入した状態では、これらハードディスク駆動装置６が機器格納室１５の幅方向に一列に並んでいるとともに、隣り合うハードディスク駆動装置６の間にトレイ１９が介在されている。
【００２０】
さらに、トレイ１９の一端部には、直角に折り曲げられた端板２３が形成されている。端板２３は、トレイ１９を機器格納室１５に挿入した時に、ケージ１０の挿入口１４に位置するとともに、ハードディスク駆動装置６の端部を覆っている。このトレイ１９の端板２３に操作レバー２４が取り付けられている。操作レバー２４は、機器格納室１５に挿入されたハードディスク駆動装置６をコネクタ１７に向けて押圧したり、逆にコネクタ１７から離脱する方向に引き出すためのものであり、ケージ１０の挿入口１４に露出している。
【００２１】
図３に示すように、各トレイ１９の一端部に一対の導通片２５ａ，２５ｂが取り付けられている。導通片２５ａ，２５ｂは、弾性変形が可能な板ばねにて構成され、機器格納室１５の高さ方向に互いに離間している。これら導通片２５ａ，２５ｂは、四台のハードディスク駆動装置６を機器格納室１５に一列に並べて挿入した時に、隣り合うトレイ１９の端板２３の縁部に接触するようになっている。
【００２２】
図２および図３に示すように、フロッピーディスク駆動装置７は、板金製のブラケット２８を介して上記ケージ１０に支持されている。ブラケット２８は、フロッピーディスク駆動装置７が嵌まり込むベース２９を有し、このベース２９にフロッピーディスク駆動装置７がねじ止めされている。ブラケット２８は、ケージ１０の左側の側板１１ａと左端のハードディスク駆動装置６との間に挿入されており、このブラケット２８の上端部およびおよび下端部がケージ１０の天板１２および底板１３に摺動可能に接している。
【００２３】
このため、フロッピーディスク駆動装置７は、縦置きの姿勢で機器格納室１５の左端部に位置し、その前面のディスク挿入口７ａがケージ１０の挿入口１４に露出している。
【００２４】
図２および図５に示すように、ブラケット２８は、その前端の上部に第１の舌片３０ａを有するとともに、後端の上部と下部に夫々第２の舌片３０ｂ，３０ｃを有している。第１の舌片３０ａは、天板１２の前縁に形成された第１のねじ受け３１ａにねじ３２を介して固定されている。第２の舌片３０ｂ，３０ｃは、天板１２の後縁および底板１３の後縁に夫々形成された第２のねじ受け３１ｂ，３１ｃにねじ３３を介して固定されている。これにより、フロッピーディスク駆動装置７がケージ１０に固定され、機器格納室１５に抜け止め保持されている。
【００２５】
フロッピーディスク駆動装置７は、図示しないケーブルを介して機器本体２の内部のマザーボードに電気的に接続されている。このケーブルは、ケージ１０の左側の側壁１１ａの後端とプリント回路板１６との間を通してケージ１０の外方に導かれている。
【００２６】
フロッピーディスク駆動装置７を機器格納室１５に保持した状態では、ブラケット２８のベース２９が左端のハードディスク駆動装置６のトレイ１９と向かい合っている。このベース２９は、一対の座部３４ａ，３４ｂを有している。座部３４ａ，３４ｂは、挿入口１４に臨むベース２９の一端部に位置するとともに、機器格納室１５の高さ方向に離間して配置されている。そして、これら座部３４ａ，３４は、隣り合うトレイ１９の導通片２５ａ，２５ｂに接している。
【００２７】
このため、機器格納室１５に四台のハードディスク駆動装置６と一台のフロッピーディスク駆動装置７を実装した状態では、トレイ１９の導通片２５ａ，２５ｂを介して四台のトレイ１９および一台のブラケット２８が互いに接触し合うとともに、ケージ１０に電気的に導通された状態に保たれている。
【００２８】
この結果、オペレータがハードディスク駆動装置６やフロッピーディスク駆動装置７に触れた場合に、人体の静電気をケージ１０に確実に逃すことができる。
【００２９】
一方、機器本体２の第２の格納庫５は、例えば光磁気ディスク装置やカセット磁気テープ装置のような上記フロッピーディスク駆動装置７と同じサイズを有するその他のI/O装置３５を実装するためのものである。この第２の機器格納庫５は、例えば二つの実装スペース３６ａ，３６ｂを有している。実装スペース３６ａ，３６ｂは、機器本体２の高さ方向に積層されている。これら実装スペース３６ａ，３６ｂは、フロッピーディスク駆動装置７を第１の格納庫４の機器格納室１５に実装したことに伴い、いずれも最初から空の状態に保たれている。
【００３０】
このため、第２の格納庫５の実装スペース３６ａ，３６ｂを利用して二台のI/O装置３５を増設し得るようになっている。
【００３１】
このような構成によれば、本来、第２の格納庫５に実装されるフロッピーディスク駆動装置７をケージ１０の機器格納室１５に固定し、四台のハードディスク駆動装置６と共に第１の格納庫４に実装したので、第２の格納庫５の二つの実装スペース３６ａ，３６ｂが最初から空となる。言い換えると、従来、フロッピーディスク駆動装置７が占有していた第２の格納庫５の実装スペース３６ａ又は３６ｂを空けることができる。
【００３２】
したがって、第２の格納庫５の二つの実装スペース３６ａ，３６ｂを利用して二台のI/O装置３５の増設が可能となり、I/O装置３５の増設台数を増やすことができる。
【００３３】
【発明の効果】
以上詳述した本発明によれば、第２の格納庫の実装スペースが最初から空となるので、この実装スペースに複数のI/O装置を増設することができ、I/O装置の増設台数を増やすことができる。
【図面の簡単な説明】
【図１】本発明の実施の形態に係るサーバの正面図。
【図２】ケージに四台のハードディスク駆動装置と一台のフロッピーディスク駆動装置を実装した状態を示す斜視図。
【図３】ケージの機器格納室にハードディスク駆動装置とフロッピーディスク駆動装置を実装した状態を示す正面図。
【図４】ケージをプリント回路板の方向から見た斜視図。
【図５】ケージにハードディスク駆動装置を挿入した状態を示す斜視図。
【符号の説明】
２…機器本体、２ａ…前面、３…フロント扉、４…第１の格納庫（５インチベイ）、５…第２の格納庫（３．５インチベイ）、６…ハードディスク駆動装置、７…フロッピーディスク駆動装置（I/O装置）、３５…他のI/O装置、３６ａ，３６ｂ…実装スペース。
【図１】
2004213062.tif 000003
【図２】
2004213062.tif 000004
【図３】
2004213062.tif 000005
【図４】
2004213062.tif 000006
【図５】
2004213062.tif 000007